(57)【要約】【課題】管理情報の読み出し完了前に録音を開始する即時録音を行った場合であっても、最大トラック数を超えずに記録を行う。【解決手段】記録再生装置１０は、ディスク１にデータの書き込みを行うドライブ部２１と、オーディオデータに対する符号化を行うオーディオ処理部２２と、オーディオ処理部２２からドライブ部２１へ転送されるオーディオデータを一時的に格納するバッファメモリ２３と、管理情報を格納する管理情報メモリ２４と、システムコントローラ２５とを備えている。ドライブ部２１は、ディスク１から管理情報メモリ２４への管理情報の読み出しが完了する前に録音が開始された場合、管理情報の読み出し完了後に、バッファメモリ２３内のデータをディスク１に書き込む。ただし、管理情報の読み出しが完了する前に録音が開始されたためにトラック数が記録媒体の規格上の上限を超えた場合には、トラック番号が上限を超えた部分のデータについてはディスク１に記録をせず、バッファメモリ２３から削除する。【選択図】図２
2006004525.tif 000002
【特許請求の範囲】
【請求項１】
所定のフォーマットで符号化されたオーディオデータが記録されるとともに、記録済みオーディオデータの管理情報が記録された記録媒体に対して、オーディオ信号の記録を行うオーディオ記録装置において、
オーディオ信号が入力され、入力されたオーディオ信号を上記所定のフォーマットに符号化する符号化手段と、
上記符号化手段により符号化されたオーディオデータを一時的に格納するバッファメモリと、
上記管理情報を格納する管理メモリと、
上記記録媒体に対してデータの記録及び再生を行う記録再生手段と、
上記符号化手段、バッファメモリ、管理メモリ及び記録再生手段の制御を行う制御手段とを備え、
上記管理情報には、オーディオデータを音楽タイトル毎又は任意の位置で区切ったときの各部分の番号を示すトラック番号が少なくとも記述されており、
上記制御手段は、
記録媒体に対してオーディオ信号の記録を行う場合には、上記記録媒体から予め上記管理情報を再生して上記管理メモリに格納し、上記管理メモリに格納されている管理情報に基づき制御を行い、
上記管理メモリに上記管理情報が格納された後に、オーディオ信号の実時間記録が開始された場合には、入力されたオーディオ信号を符号化し、符号化されたオーディオデータを上記バッファメモリに格納し、上記バッファメモリに格納されているオーディオデータを上記記録媒体に記録するとともに、上記記録媒体に記録したオーディオデータにトラック番号を割り当て、その割り当てに応じて上記管理メモリに格納されている管理情報を更新し、
さらに、上記制御手段は、
上記管理メモリに上記管理情報が格納される前に、オーディオ信号の実時間記録が開始された場合には、
入力されたオーディオ信号を符号化し、符号化されたオーディオデータを上記バッファメモリに格納するとともに、上記バッファメモリに格納されたオーディオデータに暫定的にトラック番号を割り当て、
上記管理情報の上記管理メモリへの格納が完了した後に、上記バッファメモリに格納されているオーディオデータに割り当てられていた暫定的なトラック番号を上記管理情報に応じて修正し、
修正されたトラック番号が所定の値以下であるオーディオデータについては、上記バッファメモリに格納されているオーディオデータを上記記録媒体に記録を行い、
修正されたトラック番号が所定の値より大きくなるオーディオデータが存在する場合には、上記実時間記録を停止するとともに、そのオーディオデータについては、上記記録媒体に対して記録しないこと
を特徴とするオーディオ記録装置。
【発明の詳細な説明】
【技術分野】
【０００１】
本発明は、例えば光磁気ディスク等のリムーバブルメディアに対して、オーディオ信号の記録を行うオーディオ記録装置に関するものである。
【背景技術】
【０００２】
ディジタルオーディオデータを記録するためのリムーバブルな記録媒体として、カートリッジに収納された直径６４ｍｍの光磁気ディスクであるミニディスク（ＭＤ）が広く普及している。
【０００３】
ＭＤでは、トラックと呼ばれる単位でオーディオデータを管理している。例えば、オーディオ信号の楽曲の単位、ユーザが任意の位置で信号を区切ったときの部分単位、又は、一定時間以上の無信号が続いた部分で区切ったときの部分単位が、１つのトラックとなる。ＭＤでは、オーディオデータの管理情報であるテーブルオブコンテンツ（ＴＯＣ）が記録されており、このＴＯＣに各トラックの記録位置がわかる情報（例えば記録開始アドレス及びトラックの長さ）が記述されている。
【０００４】
また、ＭＤの記録再生装置では、一般に、即時録音開始機能を有している。ＭＤの記録再生装置は、ＭＤが装着されると、ＴＯＣを読み出してメモリに格納し、それが完了した後に各種の操作を受け付ける。しかしながら、即時録音開始機能は、ＴＯＣの読み出し完了前に録音ボタンが操作された場合であっても、その操作を受け付けて音声入力を開始し、入力されたオーディオデータを内部バッファに一時的に蓄積しておき、ＴＯＣ読み出しが完了した後に、バッファ内に蓄積しているオーディオデータをＭＤに書き込んでいく。このように即時録音開始機能が設けられていれば、ＭＤを装着して直ぐに録音を開始できるので、ユーザにとって非常に使い勝手がよくなる。
【０００５】
ところで、一枚のＭＤに記録することができるトラック数には上限がある。そのため、記録再生装置では、既に最大数のトラックが記録されているＭＤが装着されている場合には、録音ボタンが押されても、録音を行わないようにしている。
【０００６】
しかしながら、即時録音開始機能で録音が開始された場合、録音ボタンが押された時点では、そのＭＤに記録されているトラック数が最大数となっているか否かはわからない。このため、即時録音開始機能で録音が開始された場合、トラック数が最大数を超えてしまう場合がある。
【０００７】
そこで、従来の記録再生装置では、即時録音開始機能を用いたためトラック数が記録可能な最大数より多くなってしまった場合には、最大数を超えた部分のトラックについては、１つのトラックに合成していた。
【０００８】
【非特許文献１】ソニー株式会社ホームページ  ＨｉＭＤ  、［平成１６年６月１８日検索］、インターネット＜URL : http://www.sony.co.jp/Products/Hi-MD/＞
【発明の開示】
【発明が解決しようとする課題】
【０００９】
本出願人は、現行のＭＤを発展させたＨｉＭＤと呼ばれるディジタルオーディオデータを記録するためのリムーバブルな記録媒体を新たに提案した（例えば非特許文献１参照。）。
【００１０】
ＨｉＭＤは、カートリッジに収納された直径６４ｍｍの光磁気ディスクであり、外形上ＭＤと互換性を有しているが、ＭＤよりも大容量化を実現している。また、ＨｉＭＤは、パーソナルコンピュータとの親和性を向上させ、コンピュータデータファイルや画像ファイルなどのデータの保存も可能としている。さらに、ＨｉＭＤでは、オーディオデータを暗号化して記録しており、セキュアな記録メディアとなっている。
【００１１】
ところが、ＨｉＭＤでは、トラック単位でオーディオデータの暗号化等を行っている。そのために、元々複数のトラックとして生成されたオーディオデータを、１つのトラックに合成するといった処理を行うことは、暗号化処理の観点から非常に困難である。そのため、ＨｉＭＤでは、トラック数の制限を守りながら即時録音開始機能を適用することが、非常に困難となってしまっていた。
【００１２】
本発明は、以上のような問題を解決するものであり、管理情報の読み出し完了前に録音を開始する即時録音開始機能を適用した場合であっても、最大トラック数を超えずに記録を行うことができるオーディオ記録装置を提供することを目的とする。
【課題を解決するための手段】
【００１３】
本発明に係るオーディオ記録装置は、所定のフォーマットで符号化されたオーディオデータが記録されるとともに、記録済みオーディオデータの管理情報が記録された記録媒体に対して、オーディオ信号の記録を行うオーディオ記録装置であって、オーディオ信号が入力され、入力されたオーディオ信号を上記所定のフォーマットに符号化する符号化手段と、上記符号化手段により符号化されたオーディオデータを一時的に格納するバッファメモリと、上記管理情報を格納する管理メモリと、上記記録媒体に対してデータの記録及び再生を行う記録再生手段と、上記符号化手段、バッファメモリ、管理メモリ及び記録再生手段の制御を行う制御手段とを備えている。
【００１４】
上記管理情報には、オーディオデータを音楽タイトル毎又は任意の位置で区切ったときの各部分の番号を示すトラック番号が少なくとも記述されている。
【００１５】
上記制御手段は、記録媒体に対してオーディオ信号の記録を行う場合には、上記記録媒体から予め上記管理情報を再生して上記管理メモリに格納し、上記管理メモリに格納されている管理情報に基づき制御を行い、上記管理メモリに上記管理情報が格納された後に、オーディオ信号の実時間記録が開始された場合には、入力されたオーディオ信号を符号化し、符号化されたオーディオデータを上記バッファメモリに格納し、上記バッファメモリに格納されているオーディオデータを上記記録媒体に記録するとともに、上記記録媒体に記録したオーディオデータにトラック番号を割り当て、その割り当てに応じて上記管理メモリに格納されている管理情報を更新する。
【００１６】
さらに、上記制御手段は、上記管理メモリに上記管理情報が格納される前に、オーディオ信号の実時間記録が開始された場合には、入力されたオーディオ信号を符号化し、符号化されたオーディオデータを上記バッファメモリに格納するとともに、上記バッファメモリに格納されたオーディオデータに暫定的にトラック番号を割り当て、上記管理情報の上記管理メモリへの格納が完了した後に、上記バッファメモリに格納されているオーディオデータに割り当てられていた暫定的なトラック番号を上記管理情報に応じて修正し、修正されたトラック番号が所定の値以下であるオーディオデータについては、上記バッファメモリに格納されているオーディオデータを上記記録媒体に記録を行い、修正されたトラック番号が所定の値より大きくなるオーディオデータが存在する場合には、上記実時間記録を停止するとともに、そのオーディオデータについては、上記記録媒体に対して記録しない。
【発明の効果】
【００１７】
本発明に係るオーディオ記録装置では、管理情報の読み出しが完了する前に実時間記録が開始されたため管理情報の格納が完了した後にトラック数が記録媒体の上限を超えた場合には、トラック番号が上限を超えた部分のオーディオデータについては記録媒体に対して記録をせず、さらに、実時間記録を停止する。
【００１８】
このことにより本発明に係るオーディオ記録装置では、管理情報の読み出し完了前に録音を開始する即時録音開始機能を適用した場合であっても、最大トラック数を超えずに記録を行うことができる。
【発明を実施するための最良の形態】
【００１９】
本発明が適用されたディスク記録再生装置について説明をする。
【００２０】
図１に、本発明が適用されたディスク記録再生装置１０の外観図を示す。
【００２１】
ディスク記録再生装置１０は、図１に示すように、カートリッジに収納された直径約６．４センチの光磁気ディスク（以下、単にディスク１という。）に対して、データの記録及び再生を行う装置である。ディスク１は、ＨｉＭＤ（非特許文献１参照。）と呼ばれるフォーマットが適用された光磁気ディスクである。
【００２２】
ディスク１の仕様について簡単に説明をする。
【００２３】
ディスク１の仕様は、記録トラックのピッチが１．２５μｍ、ピット長が０．１６μｍ／ｂｉｔ、レーザ波長λが７８０ｎｍ、対物レンズの開口数ＮＡが０．４５、ディスク記録方式がグルーブ記録及び磁壁移動検出（ＤＷＤＤ）方式、アドレス方式がシングルスパイラルのグルーブに対して所定の周波数（２２．０５ｋＨｚ）で両側ウォブルを施してその周波数に絶対アドレス（ＡＤＩＰ）をＦＭ変調する方式、変調方式がＲＬＬ１−７ＰＰ（Run Length Limited 1-7 Parity Preserve /Prohibit rmtr）方式、誤り訂正方式がＢＩＳ（Burst Indicator Subcode）付きのＲＳ−ＬＤＣ（Read-Solomon Long Distance Code）、インターリーブ方式がブロック完結方式、冗長度が２０．５０％、データ検出方式がＰＲ（１，−１）ＭＬによるビタビ復号方式、ディスク駆動方式がＣＬＶ（Constant Linear Velocity）方式、線速度が２．０ｍ／ｓ、データレートが９．８ＭＢ／ｓ、記録容量が１ＧＢ、最小書き込み単位が１６セクタ、となっている。このディスク１は、記録トラックに沿って内周側から外周側に向かいデータが記録されていく。このようなディスク１は、磁気超解像技術を使うことにより、線密度方向の記録容量を向上するようにしている。
【００２４】
ディスク記録再生装置１０には、録音開始ボタン１１、ポーズ（一時停止）ボタン１２、トラックマークボタン１３、再生ボタン１４、ストップボタン１５、ジョグダイヤル（回転押下スイッチ）等の各種操作スイッチ群と、例えばＬＣＤ(Liquid Crystal Display)からなる表示部１６と、イヤホンや各種操作スイッチ等が設けられたリモートコントローラ１７とが設けられている。
【００２５】
また、ディスク記録再生装置１０には、外部音声を集音して電気信号に変換するマイクロフォンが接続されるマイクロフォン端子１８と、オーディオケーブルが接続され、当該オーディオケーブル介して外部のオーディオ再生機器からオーディオ信号が入力されるライン入力端子１９とを備えている。
【００２６】
このようなディスク記録再生装置１０は、持ち運び可能な小型機器であり、その筐体は人間が片手で持てる程度の大きさである。ディスク記録再生装置１０には、ディスク１の装着及び取り出しが可能される。ディスク記録再生装置１０は、ディスク１を内部に装着した状態でデータの記録及び再生を行う。ディスク記録再生装置１０は、それ自体単体で、音楽及び音声等（以下、単にオーディオ信号という。）の記録及び再生を行うことが可能である。
【００２７】
つぎに、ディスク記録再生装置１０の内部構成について説明をする。
【００２８】
図２にディスク記録再生装置１０のブロック構成図を示す。
【００２９】
ディスク記録再生装置１０は、ディスク１に対してデータの書き込み及び読み出しを行うドライブ部２１と、オーディオデータに対する符号化や暗号化及び復号や暗号解除等のデータ処理を行うオーディオ処理部２２と、バッファメモリ２３と、管理情報メモリ２４と、当該装置の中央制御を行うシステムコントローラ２５とを備えている。
【００３０】
ドライブ部２１には、装着及び取り外しが自在なカートリッジに収納されたディスク１が装着される。ドライブ部２１は、装着されたディスク１に対するデータの書き込み及び読み出しを行う。
【００３１】
オーディオ処理部２２は、録音時には、入力されたオーディオ信号に対して例えばＡＴＲＡＣ３方式等の圧縮符号化処理を行うとともに著作権管理等のために暗号化処理を行って、オーディオデータを出力する。なお、録音とは、マイクロフォンやオーディオケーブルを用いて、オーディオ信号を実時間記録する処理のことである。また、オーディオ処理部２２は、再生時には、入力されたオーディオデータに対して、暗号解除処理を行うとともに例えばＡＴＲＡＣ３方式等の伸張復号処理を行い、オーディオ信号を出力する。
【００３２】
具体的には、記録時には、オーディオ処理部２２は、マイクロホン入力端子１８又はライン入力端子１９からオーディオ信号が入力される。オーディオ処理部２２は、入力されたオーディオ信号がアナログ信号であれば、Ａ／Ｄ変換を行ってデジタル化する。オーディオ処理部２２は、録音時には、入力されたオーディオ信号を例えばＡＴＲＡＣ３方式の圧縮符号化処理を行うとともに、著作権管理等のために暗号化処理を行い、符号化されたオーディオデータを生成する。オーディオ処理部２２により符号化されたオーディオデータは、バッファメモリ２３に格納される。
【００３３】
オーディオ処理部２２は、再生時には、オーディオデータがバッファメモリ２３から入力される。オーディオ処理部２２は、入力されたオーディオデータに対して暗号解除処理を行い、暗号解除がされたオーディオデータに対して例えばＡＴＲＡＣ３方式の伸張復号処理を行う。オーディオ処理部２２は、必要に応じて、復号されたオーディオデータをＤ／Ａ変換し、イヤホン又はライン出力端子等から出力する。
【００３４】
バッファメモリ２３は、ドライブ部２１によってディスク１のユーザエリアから読み出されたオーディオデータ、及び、ディスク１に対して書き込むオーディオデータを、一時的に記憶するＦＩＦＯ（First In First Out）型のバッファ回路である。すなわち、バッファメモリ２３は、記録時には、オーディオ処理部２２から出力されたオーディオデータを一時的に格納し、入力順序どおりにドライブ部２１に読み出されて、当該順序どおりにディスク１に書き込まれる。また、バッファメモリ２３は、再生時には、ドライブ２１により読み出されたオーディオデータを一時的に格納し、読み出し順序どおりにオーディオ信号処理部２２に転送する。
【００３５】
管理情報メモリ２４は、ドライブ部２１によってディスク１から読み出されたディスクＴＯＣ（Table of Contents）を含む管理情報等を記憶する。
【００３６】
システムコントローラ２５は、ディスク記録再生装置１０内の全体の制御を行う。
【００３７】
例えば、システムコントローラ２５は、各種操作部からの操作入力を受け付けたり、表示部１６にＧＵＩを表示したりする。
【００３８】
つぎに、ディスク記録再生装置１０の動作について説明をする。
【００３９】
まず、ディスク１がドライブ部２１に装着された際の動作について説明をする。
【００４０】
ディスク１がドライブ部２１に装着されると、システムコントローラ２５は、ドライブ部２１を制御して、ディスク１の所定の領域に記録されているＴＯＣやＦＡＴ等の管理情報を読み出す。読み出された管理情報は、管理情報メモリ２４に格納される。
【００４１】
システムコントローラ２５は、以後、管理情報メモリ２４に格納されているＴＯＣやＦＡＴ等の管理情報を参照して、ディスク１に対するデータ書き込み制御を行ったり、ディスク１からのデータ読み出し制御を行ったりする。また、システムコントローラ２５は、ディスク１にオーディオデータが記録されると、それに応じて管理情報メモリ２４に格納されているＴＯＣやＦＡＴ等の管理情報の更新も行う。また、システムコントローラ２５は、ディスク１に記録されているオーディオデータのタイトル等のメタデータ等が変更された場合にも、管理情報メモリ２４に格納されているＴＯＣやＦＡＴ等の管理情報の更新を行う。
【００４２】
システムコントローラ２５は、ドライブ部２１からディスク１が取り外される前に（つまり、イジェクト操作がされ、ディスク１を排出する前に）、管理情報メモリ２４に格納されている管理情報を、ディスク１に書き戻す。もっとも、管理情報メモリ２４に格納されている管理情報のディスク１に書き戻す動作は、イジェクト時に限らず、例えば録音終了時等の他、何時に行っても良い。
【００４３】
ところで、管理情報メモリ２４に格納されるＴＯＣには、トラック情報が記述されている。トラック情報には、ディスク１に記録されているオーディオデータの各トラックの記録位置がわかるような情報が記述されている。
【００４４】
ここで、トラックとは、記録されているオーディオデータを管理する管理単位である。ディスク１では、このトラック単位で、例えば、楽曲の名称やアーティスト名等のオーディオデータの付加データやメタデータ等を記録しておくことができる。つまり、トラックは、オーディオ信号の楽曲の単位である。もっとも、楽曲の単位が基本であるが楽曲単位のみならず、ユーザが任意の位置でトラックを区切ることができる。
【００４５】
具体的に、トラック情報には、図３に示すように、そのトラックが何番目のトラックであるかを示すトラック番号３１とブロック数３２とがペアとされて、各トラックについて記述されている。
【００４６】
ＨｉＭＤの場合、トラック番号は、１から始まり、２０４７が最大値となる。すなわち、ＨｉＭＤでは、２０４７個のトラックを作ることができる。また、ＨｉＭＤでは、トラック番号は、重複番号が存在せず、途中に空き番号が存在しないようにされている。また、トラック番号は、必ず、１ずつインクリメントされるように付けられている。従って、途中のトラックが削除された場合には、以後のトラックのトラック番号は１つずつ繰り下げられ、途中にトラックが挿入された場合には、以後のトラックは１つずつ繰り上げられる。
【００４７】
ブロックとは、ディスク１に対するデータの書き込み単位であり、ブロック毎にアドレスが付けられている。ＨｉＭＤの場合、オーディオデータが記録された領域の各ブロックには、初期値から連続したアドレス番号が付けられ、また、先頭のブロックの物理的な記録位置は固定となっている。そのため、図３に示すように、トラック情報に、トラック番号及びそのトラックのブロック数さえ記述されていれば、任意のトラックの記録位置を算出することが可能となる。
【００４８】
つぎに、通常の録音時（すなわち、管理情報が管理情報メモリ２４に格納された後に、録音開始タン１１が押されることによって開始される録音動作時）のディスク記録再生装置１０の動作について説明をする。
【００４９】
録音開始ボタン１１が押されると、マイクロフォン端子１８又はライン入力端子１９を介して入力されたオーディオ信号が、オーディオ処理部２２に供給される。オーディオ処理部２２は、入力されたオーディオ信号をＡＴＲＡＣ３方式で圧縮符号化するとともに所定の暗号化方式で暗号化して、オーディオデータを生成する。生成されたオーディオデータは、オーディオ処理部２２からバッファメモリ２３に供給される。バッファメモリ２３は、入力されたオーディオデータを一時的に蓄積する。ドライブ部２１は、バッファメモリ２３にオーディオデータが蓄積されると、オーディオデータをブロック単位で抜き出し、抜き出したオーディオデータをディスク１に記録をしていく。そして、ディスク記録再生装置１０は、停止ボタン１５が押されると、録音動作を停止する。
【００５０】
以上のような録音動作中、システムコントローラ２５は、適宜、管理情報メモリ２４内に格納されている管理情報を更新していく。
【００５１】
具体的には、システムコントローラ２５は、録音中に、入力されたオーディオ信号の楽曲が換わると、その時点でトラックの分割を行う。なお、トラックの分割とは、その時点でトラックの区切れを付けることである。また、システムコントローラ２５は、録音中にポーズボタン１２が押された時には録音動作の一時停止を行うとともに一時停止が押された時点でトラックの分割を行う。また、システムコントローラ２５は、録音中にトラックマークボタン１３が押された時には、トラックマークボタン１３が押された時点でトラックの分割を行う。また、システムコントローラ２５は、録音中に、入力されたオーディオ信号に一定時間以上の無音期間があるか否かを検出し、一定時間以上の無音期間がある場合には、その時点でトラックの分割を行う。システムコントローラ２５は、以上のようなトラックの分割を行う毎に、管理情報内のトラック情報を適宜更新していく。
【００５２】
なお、システムコントローラ２５は、管理情報内のトラック情報を参照して、ディスク１内に生成されているトラックの数が既に最大数（２０４７個）に達している場合には、録音開始ボタン１１が押されても録音動作を開始しないようにする。また、録音動作中に、トラック数が最大数に達した場合には、以後、トラックの区切れを設ける制御は行わないようにする。
【００５３】
つぎに、即時録音開始機能を用いて録音動作をした場合のディスク記録再生装置１０の動作について説明をする。
【００５４】
即時録音開始機能とは、ディスク１が装着されると直ぐに管理情報が読み出されて管理情報メモリ２４に格納されるが、その管理情報の読み込みが完了する前でも録音ボタン１１の操作を受け付けて、録音動作を開始するという機能である。
【００５５】
システムコントローラ２５は、ディスク１から管理情報を読み出し、管理情報メモリ２４に転送している。この転送最中に、録音開始ボタン１１が押されて録音動作が開始すると、マイクロフォン端子１８又はライン入力端子１９を介して入力されたオーディオ信号が、オーディオ処理部２２に供給される。オーディオ処理部２２は、入力されたオーディオ信号をＡＴＲＡＣ３方式で圧縮符号化するとともに所定の暗号化方式で暗号化して、オーディオデータを生成する。生成されたオーディオデータは、オーディオ処理部２２からバッファメモリ２３に供給される。バッファメモリ２３は、入力されたオーディオデータを一時的に蓄積する。なお、即時録音開始を行った場合、ドライブ部２１は、管理情報の読み込みが完了するまで、ディスク１への書き込みは待機する。続いて、管理情報が全て管理情報メモリ２４に格納されて管理情報の読み込みが完了すると、ドライブ部２１は、バッファメモリ２３からブロック単位毎にオーディオデータを抜き出し、ディスク１にブロック単位で記録をしていき、以後、通常の記録動作と同様の処理を行う。
【００５６】
また、システムコントローラ２５は、即時録音開始機能により録音動作が行われた場合、録音中のオーディオデータのトラック番号を次のように管理している。
【００５７】
管理情報の読み込みが完了する前は、図４（Ａ）のＳ１に示すように、管理情報メモリ２４内にはトラック情報が存在しない。そこで、システムコントローラ２５は、管理情報の読み込みが完了する前は、図４（Ｂ）のＳ１に示すように、バッファメモリ２３内に格納されているオーディオデータの各トラックに対して、暫定的なトラック番号を付けて管理を行う。
【００５８】
続いて、管理情報の読み込みが完了した後は、図４（Ａ）のＳ２に示すように、管理情報メモリ２４内にはトラック情報が格納される。管理情報の読み込みが完了すると、システムコントローラ２５は、図４（Ｂ）のＳ３に示すように、バッファメモリ２３内に格納されているオーディオデータの暫定的なトラック番号を、管理情報メモリ２４の管理情報に含まれているトラック情報に基づき修正する。すなわち、管理情報メモリ２４の管理情報に含まれているトラック情報の最終トラックのトラック番号を例えばｎとしたとき（ｎは１以上２０４７以下の整数）、バッファメモリ２３内に格納されているオーディオデータのトラック番号を（ｎ＋１）からの１ずつ増加する連続番号に修正する。
【００５９】
そして、以後、バッファメモリ２３からディスク１へ書き込みが行われていくが、システムコントローラ２５は、書き込みが完了したトラックについては、管理情報のＴＯＣ内のトラック情報に、トラック番号及びブロック数を記述していく。
【００６０】
以上のようにトラック番号を管理することによって、即時録音を行った場合にもトラック番号の不整合が生じないようにすることができる。
【００６１】
ところで、バッファメモリ２３内に格納されているオーディオデータのトラック番号を修正した結果、ＨｉＭＤで規定されている最大のトラック数（２０４７）を超えてしまう場合がある。例えば、図５（Ａ）のＳ２に示すような管理情報メモリ２４内にはトラック情報に基づき、バッファメモリ２３内のトラック番号を修正すると、図５（Ｂ）のＳ３に示すように、最大トラック数を超えたトラックが発生してしまう場合がある。
【００６２】
システムコントローラ２５では、その最大トラック数を超えたトラック、すなわち、２０４８以上のトラック番号のトラックについては、図５（Ｂ）に示すように、バッファメモリ２３から削除する。
【００６３】
この結果、削除されたトラックのオーディオデータについては、ディスク１には記録されず、最大トラック数（２０４７）までのトラックのオーディオデータのみがディスク１に記録される。さらに、システムコントローラ２５は、最大トラック数を超えたトラックが発生した場合には、録音動作を強制的に終了する。
【００６４】
以上のようにディスク記録再生装置１０では、管理情報の読み出しが完了する前に録音を開始し、管理情報の格納が完了した後にトラック番号を修正したときに、トラック数がディスク１の規定上の上限を超えてしまった場合には、トラック番号が上限を超えた部分のオーディオデータについてはバッファメモリ２３から削除して、ディスク１には記録しない。
【００６５】
このことによりディスク記録再生装置１０では、管理情報の読み出し完了前に録音を開始する即時録音開始機能を適用した場合であっても、最大トラック数を超えずに記録を行うことができる。
【図面の簡単な説明】
【００６６】
【図１】本発明が適用されたディスク記録再生装置の外観図である。
【図２】本発明が適用されたディスク記録再生装置のブロック図である。
【図３】管理情報メモリ内に格納されるトラック情報を示す図である。
【図４】管理情報メモリ内のトラック情報、及び、バッファメモリ内にオーディオデータに暫定的に付けられるトラック番号を示す図である。
【図５】バッファメモリ内のオーディオデータのトラック番号が最大トラック数を超えたときの処理の手順を示す図である。
【符号の説明】
【００６７】
１０  ディスク記録再生装置、２１  ドライブ部、２２  オーディオ処理部、２３  バッファメモリ、２４  管理情報メモリ、２５  システムコントローラ
【図１】
2006004525.tif 000003
【図２】
2006004525.tif 000004
【図３】
2006004525.tif 000005
【図４】
2006004525.tif 000006
【図５】
2006004525.tif 000007